(57)【要約】【課題】個人情報を保護した印刷に関する技術を提供する。【解決手段】情報を２回に分けて印刷する印刷システムであって、複数件の情報を記憶した記憶装置から、各件の情報について予め選択された第１の情報と、第１の情報に付随する第２の情報とを取り出し、少なくとも前記第１の情報を所定の方法で符号化して、第２の情報と共に出力する情報出力装置と、出力された第１，第２の情報を受け取り、第１，第２の情報のうち、少なくとも第１の情報は符号化に対応したコードの形態で、第２の情報と共に媒体上に印刷する第１の印刷装置と、印刷された媒体を受け取り、印刷されたコードを読み取って復号化を行ない、第１の情報の少なくとも一部を前記媒体に印刷する第２の印刷装置とを備えた印刷システム。【選択図】図１
2010282258.tif 000002
【特許請求の範囲】
【請求項１】
情報を２回に分けて印刷する印刷システムであって、
複数の件数の情報を記憶した記憶装置から、予め選択された各件の情報について、第１の情報と該第１の情報に付随する第２の情報とを取り出し、少なくとも前記第１の情報を所定の方法で符号化して、前記第２の情報と共に出力する情報出力装置と、
前記出力された第１，第２の情報を受け取り、前記第１，第２の情報のうち、少なくとも前記第１の情報は前記符号化に対応したコードの形態で、前記第１の情報と前記第２の情報とを媒体上に印刷する第１の印刷装置と、
前記印刷された媒体を受け取り、前記印刷されたコードを読み取って復号化を行ない、前記第１の情報の少なくとも一部を前記媒体に印刷する第２の印刷装置と
を備えた印刷システム。
【請求項２】
前記記憶装置は、前記各件の情報について、少なくとも第１の情報の印刷の要否を記憶した記憶部を備え、
前記第２の印刷装置において、前記記憶部に記憶された印刷の要否に基づいて、前記第１の情報の印刷の対象から除外する除外部を備える請求項１記載の印刷システム。
【請求項３】
前記第１の情報は、少なくとも個人の住所および個人の氏名のいずれかの個人情報を含む請求項１または２記載の印刷システム。
【請求項４】
前記第２の情報は、少なくとも個人の住所および個人の氏名のいずれかの個人情報を含み、前記第１の情報は、前記個人に関連付けられた情報である請求項１または２記載の印刷システム。
【請求項５】
前記情報出力装置と前記第１の印刷装置とは隔離されている、請求項１ないし４記載の印刷システム。
【請求項６】
情報を印刷する印刷装置であって、
第１の情報と該第１の情報に付随する第２の情報とのうち少なくとも前記第１の情報が符号化され、コードの形態の前記第１の情報が余白を残して印刷された印刷媒体から、前記印刷された前記コードを読み取って復号化を行い、前記第１の情報の少なくとも一部を前記印刷媒体の前記余白に印刷する印刷装置。
【請求項７】
請求項６記載の印刷装置であって、さらに、
複数の件数の情報を記憶した記憶装置から、予め選択された前記各件の情報について前記第１の情報と該第１の情報に付随する前記第２の情報とを取り出し、少なくとも前記第１の情報を所定の方法で符号化して、前記第２の情報と共に出力する情報出力装置を備える印刷装置。
【請求項８】
請求項６または７記載の印刷装置であって、さらに、
前記復号化した前記第１の情報に基づいて、前記情報の印刷の要否情報を取得し、前記印刷の要否情報に基づいて、前記情報の印刷の対象から除外する除外部を備える印刷装置。
【請求項９】
情報を印刷する印刷装置であって、
符号化された第１の情報と該第１の情報に付随する第２の情報とを組にした印刷情報を、複数件受け取る情報受領部と、
前記受け取った各組の前記第１，第２の情報のうち、前記第２の情報は可読情報として前記媒体に印刷し、前記第１の情報については、前記符号化に対応したコードの形態で、かつ前記コードを復号した後の情報を印刷可能な余白を残した状態で、前記媒体に印刷する印刷部と
を備えた印刷装置。
【請求項１０】
情報を２回に分けて印刷する印刷方法であって、
複数の件数の情報から、前記各件の情報について予め選択された第１の情報と該第１の情報に付随する第２の情報とを取り出し、少なくとも前記第１の情報を所定の方法で符号化し、前記第２の情報と共に出力し、
前記出力された第１，第２の情報を受け取り、前記第１，第２の情報のうち、少なくとも前記第１の情報は前記符号化に対応したコードの形態で、前記第２の情報と共に媒体上に第１の印刷を行い、
前記印刷された媒体を受け取り、前記印刷されたコードを読み取って復号化を行ない、前記第１の情報の少なくとも一部を前記媒体に第２の印刷を行う
印刷方法。
【発明の詳細な説明】
【技術分野】
【０００１】
本発明は個別の情報を管理・保護した印刷の技術に関する。
【背景技術】
【０００２】
顧客１人１人の好みや価値観、状況の違いを把握・認識し、それぞれのニーズに合わせて異なったアプローチを行う、「One to One マーケティング」と言うマーケティング手法がある。その１手法として、顧客の嗜好、購入履歴、アクセス履歴等の情報に基づいて、顧客１人１人が必要とする情報（以下、個別情報とも言う）を各顧客毎に印刷して（以下、バリアブル情報印刷とも言う）、各顧客に送付するマーケティング手法がある。
【０００３】
このバリアブル情報印刷を行う際、印刷業者を用いて印刷することがある。その際、印刷発注者側は、顧客の住所や氏名等の顧客情報と、顧客毎の個別情報とを印刷業者に渡し、印刷業者がそれらの情報に基づいてバリアブル情報印刷を行う。しかし、このような方法でバリアブル情報印刷を行うと、顧客の個人情報が、印刷業者という第三者に渡ることになり、個人情報の管理・保護に関して十分とは言えない。個人情報の管理・保護を具備した印刷に関する技術として、例えば、下記特許文献１、特許文献２の技術が知られている。
【先行技術文献】
【特許文献】
【０００４】
【特許文献１】特開２００４−１７５３８
【特許文献２】特開平７−１３４７３９
【発明の概要】
【発明が解決しようとする課題】
【０００５】
こうした問題は、個人を特定可能な個人情報を印刷するバリアブル情報印刷に限った問題ではなく、個別の情報を複数件、印刷する場合の、その情報の取り扱いに関する問題として捉えることができる。上記問題を踏まえ、本発明の目的は、個別の情報を印刷する場合に、その情報を管理して印刷を行う構成を提案することである。
【課題を解決するための手段】
【０００６】
本発明は、上述の課題の少なくとも一部を解決するためになされたものであり、以下の形態又は適用例として実現することが可能である。
【０００７】
[適用例１]
情報を２回に分けて印刷する印刷システムであって、複数の件数の情報を記憶した記憶装置から、予め選択された各件の情報について、第１の情報と該第１の情報に付随する第２の情報とを取り出し、少なくとも前記第１の情報を所定の方法で符号化して、前記第２の情報と共に出力する情報出力装置と、前記出力された第１，第２の情報を受け取り、前記第１，第２の情報のうち、少なくとも前記第１の情報は前記符号化に対応したコードの形態で、前記第１の情報と前記第２の情報とを媒体上に印刷する第１の印刷装置と、前記印刷された媒体を受け取り、前記印刷されたコードを読み取って復号化を行ない、前記第１の情報の少なくとも一部を前記媒体に印刷する第２の印刷装置とを備えた印刷システム。
【０００８】
この印刷システムによれば、第１の印刷装置において、情報の一部を秘匿したまま第２の情報の印刷を行うことができる。後で第１の情報を印刷する際に、コードがなければ対応をとるのが難しいが、この印刷システムでは、対応を誤ることがない。第１の印刷装置によって印刷を行った後の印刷媒体が流出しても、第１の情報はコード化されており、第２の情報も意味を持たない。従って、情報の秘匿が可能である。
【０００９】
[適用例２]
前記記憶装置は、前記各件の情報について、少なくとも第１の情報の印刷の要否を記憶した記憶部を備え、前記第２の印刷装置において、前記記憶部に記憶された印刷の要否に基づいて、前記第１の情報の印刷の対象から除外する除外部を備える適用例１記載の印刷システム。
【００１０】
この印刷システムによれば、第２の印刷装置で印刷を行う前に、第１の情報の印刷の要否を判断し、印刷が不要な場合には第１の情報の印刷を行わない。従って、印刷が不要となった印刷媒体は情報として意味を持たない媒体であり、例えば、廃棄を行う場合に、印刷媒体上に印刷された情報の消去は不要である。
【００１１】
［適用例３］
前記第１の情報は、少なくとも個人の住所および個人の氏名のいずれかの個人情報を含む適用例１または２記載の印刷システム。
この印刷システムによれば、個人情報を印刷する際に、第２の印刷装置で印刷を行うまでは、個人情報、例えば、氏名や、住所や、電話番号などは、印刷媒体上に印刷されないので、個人情報の保護が可能である。
【００１２】
［適用例４］
前記第２の情報は、少なくとも個人の住所および個人の氏名のいずれかの個人情報を含み、前記第１の情報は、前記個人に関連付けられた情報である適用例１または２記載の印刷システム。
この印刷システムによれば、第２の印刷装置で印刷を行うまでは、印刷媒体には、個人情報のみ印刷されており、その個人に関連付けられた情報、例えば、試験の合否や、納税額や、年収などの情報は印刷されていないので、個人の私的な情報の保護が可能である。
【００１３】
［適用例５］
前記情報出力装置と前記第１の印刷装置とは隔離されている、適用例１ないし４記載の印刷システム。
【００１４】
［適用例６］
情報を印刷する印刷装置であって、第１の情報と該第１の情報に付随する第２の情報とのうち少なくとも前記第１の情報が符号化され、コードの形態の前記第１の情報が余白を残して印刷された印刷媒体から、前記印刷された前記コードを読み取って復号化を行い、前記第１の情報の少なくとも一部を前記印刷媒体の前記余白に印刷する印刷装置。
この印刷装置で印刷を行うまでは、少なくとも第１の情報は印刷されないので、情報の秘匿が可能である。
【００１５】
［適用例７］
適用例６記載の印刷装置であって、さらに、複数の件数の情報を記憶した記憶装置から、予め選択された前記各件の情報について前記第１の情報と該第１の情報に付随する前記第２の情報とを取り出し、少なくとも前記第１の情報を所定の方法で符号化して、前記第２の情報と共に出力する情報出力装置を備える印刷装置。
この印刷装置によると、この情報出力装置から出力した情報に関して、この印刷装置で印刷を行うまでは情報の秘匿が可能である。
【００１６】
［適用例８］
適用例６または７記載の印刷装置であって、さらに、前記復号化した前記第１の情報に基づいて、前記情報の印刷の要否情報を取得し、前記印刷の要否情報に基づいて、前記情報の印刷の対象から除外する除外部を備える印刷装置。
【００１７】
この印刷装置によれば、印刷を行う前に印刷の要否を判断するので、印刷が不要な場合には、第１の情報の印刷を行わない。従って、印刷が不要となった印刷媒体は情報として意味を持たない媒体であり、例えば、廃棄を行う場合に、印刷媒体上に印刷された情報の消去は不要となる。
【００１８】
［適用例９］
情報を印刷する印刷装置であって、符号化された第１の情報と該第１の情報に付随する第２の情報とを組にした印刷情報を、複数件受け取る情報受領部と、前記受け取った各組の前記第１，第２の情報のうち、前記第２の情報は可読情報として前記媒体に印刷し、前記第１の情報については、前記符号化に対応したコードの形態で、かつ前記コードを復号した後の情報を印刷可能な余白を残した状態で、前記媒体に印刷する印刷部とを備えた印刷装置。
この印刷装置によれば、第１の情報はコードの形態で印刷されるので、この印刷装置で印刷を行った状態の印刷媒体において、第１の情報の秘匿が可能である。
【００１９】
［適用例１０］
情報を２回に分けて印刷する印刷方法であって、複数の件数の情報から、前記各件の情報について予め選択された第１の情報と該第１の情報に付随する第２の情報とを取り出し、少なくとも前記第１の情報を所定の方法で符号化し、前記第２の情報と共に出力し、前記出力された第１，第２の情報を受け取り、前記第１，第２の情報のうち、少なくとも前記第１の情報は前記符号化に対応したコードの形態で、前記第２の情報と共に媒体上に第１の印刷を行い、前記印刷された媒体を受け取り、前記印刷されたコードを読み取って復号化を行ない、前記第１の情報の少なくとも一部を前記媒体に第２の印刷を行う印刷方法。
【００２０】
この印刷方法によれば、第１の印刷において、情報の一部を秘匿したまま第２の情報の印刷を行うことができる。後で第１の情報を印刷する際に、コードがなければ対応をとるのが難しいが、この印刷システムでは、対応を誤ることがない。第１の印刷で印刷後の印刷媒体が流出しても、第１の情報はコード化されており、第２の情報も意味を持たない。従って情報の秘匿が可能である。
【００２１】
なお、本発明は、種々の態様で実現することが可能である。例えば、印刷方法および装置、印刷システム、情報保護方法、情報保護システム、マーケティング方法、マーケティングシステム等の形態で実現することができる。
【図面の簡単な説明】
【００２２】
【図１】第１実施例における印刷システム１０の概略構成を示す説明図である。
【図２】発注端末ＴＭ１及びサーバーＳＶの構成を示した構成図である。
【図３】受注端末ＴＭ２の構成を示した構成図である。
【図４】印刷用ＣＰの構成を説明する説明図である。
【図５】発注端末ＴＭ１が行う発注データ送信処理の流れを示したフローチャートである。
【図６】受注端末ＴＭ２が行う納品印刷処理の流れを示したフローチャートである。
【図７】印刷用ＣＰが行う宛名印刷処理の流れを示したフローチャートである。
【発明を実施するための形態】
【００２３】
次に、本発明の実施の形態を実施例に基づいて説明する。
Ａ．第１実施例：
（Ａ１）印刷システム１０の構成：
図１は、本発明の第１実施例における印刷システム１０の概略構成を示す説明図である。印刷システム１０は、バリアブル情報印刷を印刷業者を用いて行う印刷発注者と、その発注を受けてバリアブル情報印刷を行う印刷受注者とからなる。印刷発注者は、印刷を発注するために用いる発注端末ＴＭ１と、後述する、個人情報を格納するためのサーバーＳＶと、個人情報に基づいて印刷を行うために用いる印刷用コンピューターＣＰ（以下、印刷用ＣＰとも呼ぶ）およびプリンターＰＴ１を備える。発注端末ＴＭ１とサーバーＳＶとは有線または無線のＬＡＮ（Local area Network）によって接続されている。またサーバーＳＶと印刷用ＣＰ、および、印刷用ＣＰとプリンターＰＴ１も、同じく、有線または無線のＬＡＮによって接続されている。また、印刷用ＣＰは、バーコードを読み込むためのカメラＣＭを備える。カメラＣＭの用途等については後述する。なお、本実施例においては、プリンターＰＴ１としてインクジェットプリンターを採用するが、これに代えて、ページプリンター、ラインプリンター等の印刷装置を採用してもよい。
【００２４】
一方、印刷受注者は、印刷発注者から受けた印刷用データである発注データを受信する受注端末ＴＭ２と、受信した発注データに基づいて印刷を行うデジタル印刷機ＰＴ２とを備えている。受注端末ＴＭ２は、印刷発注者が備える発注端末ＴＭ１とインターネットによって接続されている。また、受注端末ＴＭ２と、デジタル印刷機ＰＴ２とは有線または無線のＬＡＮによって接続されている。なお、本実施例においては、発注データを印刷する印刷装置としてデジタル印刷機を採用したが、これに代えて、シリアルプリンターやページプリンター、ラインプリンター等の印刷装置を採用してもよい。
【００２５】
（Ａ２）バリアブル情報印刷の流れ：
次に、印刷システム１０が行うバリアブル情報印刷の流れを、図１を用いて説明する。まず、印刷発注者がバリアブル情報印刷を、発注端末ＴＭ１を用いて印刷受注者に発注する。発注端末ＴＭ１は、顧客の住所や氏名等の顧客情報と、顧客の嗜好等のニーズに合った情報である個別情報とを、ＬＡＮを介してサーバーＳＶから読み込み、顧客情報と個別情報とを１つのデータとし、発注データとしてインターネットを介して印刷受注者が備える受注端末ＴＭ２に送信する。この際、発注データに含まれる顧客情報は、発注端末ＴＭ１によってコード化され、バーコード形式のデータ（以下、宛名バーコードとも呼ぶ）として発注データに組み込まれる。
【００２６】
インターネットを介して発注データが送信されると、印刷受注者の備える受注端末ＴＭ２が発注データを受信する。受注端末ＴＭ２は、発注データを受信すると、発注データに基づいて、デジタル印刷機ＰＴ２で印刷するための印刷データを生成する。受注端末ＴＭ２は生成した印刷データをデジタル印刷機ＰＴ２に送信し、デジタル印刷機ＰＴ２は受け取った印刷データに基づいて印刷媒体に印刷を行う。このデジタル印刷機ＰＴ２によって印刷された印刷結果物を印刷物１とする。印刷物１には発注データに含まれていた、宛名バーコードと、個別情報とが印刷されている。つまり印刷物１には、顧客の住所や氏名等である顧客情報は印刷されず、顧客情報をコード化した宛名バーコードが印刷される。印刷受注者は印刷物１を印刷すると、印刷物１を印刷発注者に納品する。
【００２７】
納品された印刷物１を受け取った印刷発注者は、印刷物１に印刷されている宛名バーコードを、印刷用ＣＰに備えるカメラＣＭで読み取る。印刷用ＣＰは、宛名バーコードを読み取ると、宛名バーコードから顧客の住所や氏名である顧客情報を復号化する。そして復号化した顧客情報を、プリンターＰＴ１で印刷するための宛名印刷データとして生成し、プリンターＰＴ１に送信する。
【００２８】
プリンターＰＴ１は宛名印刷データを受信すると、宛名印刷データに基づいて、印刷物１に、顧客の住所や氏名等の宛名を印刷し印刷物２を生成する。そして、顧客情報と個別情報とが印刷された印刷物２を生成すると、印刷発注者は印刷物２を郵送等の手段で顧客に送る。
【００２９】
（Ａ３）各機器の構成：
次に、印刷システム１０が備える発注端末ＴＭ１、サーバーＳＶ、受注端末ＴＭ２および印刷用ＣＰについて、その構成を説明する。なお、プリンターＰＴ１およびデジタル印刷機ＰＴ２は、一般に知られる既知の印刷装置を用いる。従って、プリンターＰＴ１およびデジタル印刷機ＰＴ２の構成については説明は省略する。
【００３０】
まず、発注端末ＴＭ１とサーバーＳＶの構成について説明する。図２は、発注端末ＴＭ１およびサーバーＳＶの構成を示した構成図である。発注端末ＴＭ１は、周知のＣＰＵ３１０、ハードディスク（ＨＤＤ）３２０、ＲＡＭ３３０、ＲＯＭ３４０、入出力インターフェイス（ＩＯ／ＩＦ）３５０、ネットワークインターフェイス（ＮＴ／ＩＦ）３６０を備え、相互にバス３８０で内部接続されている。発注端末ＴＭ１は、ＮＴ／ＩＦ３６０に接続されたＬＡＮ、及び、ルーターによって接続されたインターネットを介して、サーバーＳＶおよび受注端末ＴＭ２と接続されている。
【００３１】
ＣＰＵ３１０はさらに、顧客情報管理部３１２と、バーコード処理部３１４と、発注データ生成部３１６とを備える。顧客情報管理部３１２は、後述する顧客情報を管理している。そして、顧客が、印刷発注者が送る印刷物２の送付を中止した場合や、顧客の住所等に変更があった場合等に、後述するサーバーＳＶが備えるに顧客情報７１０にアクセスし、その情報を書き込む。以下、顧客への印刷物２の送付中止の情報を印刷要否情報と呼ぶ。ＣＰＵ３１０が備えるこれら各部の働きは、ＨＤＤ３２０に記憶されたプログラムを実行することで機能する。バーコード処理部３１４および発注データ生成部３１６の詳細については、後で詳しく説明する。また、ＩＯ／ＩＦ３５０はディスプレイ、キーボード、マウスと接続されているが、図示は省略した。
【００３２】
サーバーＳＶは、上述した顧客の住所や氏名を含むデータである顧客情報７１０と、顧客のニーズにあった情報である個別情報７２０とを格納しているサーバーである。また、ＬＡＮを介して発注端末ＴＭ１、および、印刷用ＣＰと接続されており、発注端末ＴＭ１、印刷用ＣＰの要求に応じて、随時、顧客情報７１０および個別情報７２０から、必要な情報を送信する。また上述したように、顧客情報に変更があった場合には、発注端末ＴＭ１のＣＰＵ３１０によって顧客情報７１０の書き換えが行われる。なお、発注端末ＴＭ１が特許請求の範囲に記載の情報出力装置に相当し、サーバーＳＶが特許請求の範囲に記載の記憶装置に相当し、顧客情報および個別情報がそれぞれ、特許請求の範囲に記載の第１，第２の情報に相当する。
【００３３】
次に、受注端末ＴＭ２の構成について説明する。図３は受注端末ＴＭ２の構成を示した構成図である。ＴＭ２は、ＣＰＵ４１０、ハードディスク（ＨＤＤ）４２０、ＲＡＭ４３０、ＲＯＭ４４０、入出力インターフェイス（ＩＯ／ＩＦ）４５０、ネットワークインターフェイス（ＮＴ／ＩＦ）４６０を備え、相互にバス４８０で内部接続されている。また受注端末ＴＭ２は、ＮＴ／ＩＦ４６０に接続されたＬＡＮ、及び、ルーターによって接続されたインターネットを介して、デジタル印刷機ＰＴ２および発注端末ＴＭ１と接続されている。
【００３４】
ＣＰＵ４１０はさらに、発注データ処理部４１２と、印刷データ生成部４１４とを備える。これら処理部については後で詳しく説明する。ＨＤＤ４２０は、磁気によってデータを記憶する記憶装置で、オペレーションシステム（ＯＳ）やアプリケーション等のプログラムを記憶している。ＩＯ／ＩＦ４５０はディスプレイ、キーボード、マウスと接続されているが、図示は省略した。なお、受注端末ＴＭ２およびデジタル印刷機ＰＴ２が、特許請求の範囲に記載の第１の印刷装置に相当する。
【００３５】
次に、印刷用ＣＰの構成について説明する。図４は、印刷用ＣＰの構成を説明する説明図である。印刷用ＣＰは、ＣＰＵ５１０、ハードディスク（ＨＤＤ）５２０、ＲＡＭ５３０、ＲＯＭ５４０、入出力インターフェイス（ＩＯ／ＩＦ）５５０、ネットワークインターフェイス（ＮＴ／ＩＦ）５６０、ＵＳＢインターフェイス（ＵＳＢ／ＩＦ）５７０を備え、相互にバス５８０によって内部接続されている。また印刷用ＣＰは、ＮＴ／ＩＦ５６０に接続されたＬＡＮを介して、サーバーＳＶおよびプリンターＰＴ１と接続されている。さらに、ＵＳＢ／ＩＦ５７０には、先述した、宛名バーコードを読み取るためのカメラＣＭが接続されている。
【００３６】
ＣＰＵ５１０はさらに、バーコード読取処理部５１２、バーコード解析部５１４、印刷要否判断部５１６、印刷データ生成部５１８を備える。各機能部については後で詳細を説明する。
【００３７】
（Ａ４）バリアブル情報印刷における各機器の処理：
上記説明した各機器がどの様な処理を実行し、印刷システム１０がバリアブル情報印刷を行っているのかを説明する。まず、発注端末ＴＭ１（図２参照）が、受注端末ＴＭ２に向けて発注データを送信する発注データ送信処理について説明する。図５は、発注端末ＴＭ１が行う発注データ送信処理の流れを示したフローチャートである。印刷発注者が、発注端末ＴＭ１のＩＯ／ＩＦ３５０に接続されたマウスおよびキーボードを用いて、印刷物を送る顧客を、サーバーＳＶが格納している顧客情報７１０から選択し、発注指示をすることによって、発注データ送信処理は開始される。
【００３８】
発注データ送信処理が開始されると、ＣＰＵ３１０は、サーバーＳＶにアクセスし、印刷発注者が選択した顧客の顧客情報を、サーバーＳＶの顧客情報７１０から読み込む（ステップＳ１１０）。読み込んだ顧客情報には、その顧客に送付する印刷物に印刷する個別情報の種類に対応した個別情報コードが含まれている。ＣＰＵ３１０は個別情報コードを読み込むと、次に、サーバーＳＶが備える個別情報７２０からその個別情報コードに対応した個別情報を選択し読み込む（ステップＳ１２０）。続いて、ＣＰＵ３１０は、読み込んだ顧客情報をコード化し、宛名バーコードを生成する。（ステップＳ１３０）。宛名バーコードには、具体的には、顧客の氏名、住所、電話番号等の情報が、コード化されて含まれている。
【００３９】
続いて、ＣＰＵ３１０は、生成した宛名バーコードと個別情報とを発注データとして１つのデータを生成する（ステップＳ１４０）。発注データは、図１に示した印刷物１に印刷する画像をそのまま表したビットマップ、ＰＤＦ、ＪＰＧなど画像データ形式のデータとしてもよいし、印刷システム１０専用のデータ形式で生成されたデータとしてもよい。本実施例では、印刷システム１０専用のデータ形式として発注データを生成する。そして、発注データを生成すると、ＣＰＵ３１０は、その発注データをＮＴ／ＩＦ３６０からインターネットを介して受注端末ＴＭ２に送信し（ステップＳ１５０）、発注端末ＴＭ１による発注データ送信処理は終了する。
【００４０】
次に、受注端末ＴＭ２（図３参照）が、受信した発注データに基づいて行う納品印刷処理について説明する。図６は受注端末ＴＭ２が行う納品印刷処理の流れを示したフローチャートである。納品印刷処理は、受注端末ＴＭ２が、発注データを受信することによって開始される。受注端末ＴＭ２が発注端末ＴＭ１から送信された発注データを受信すると、ＣＰＵ４１０は、発注データを読み込む（ステップＳ２１０）。そして、読み込んだ発注データから、デジタル印刷機ＰＴ２で印刷するための印刷データを生成する（ステップＳ２２０）。具体的には、印刷システム１０専用のデータ形式の発注データに含まれる宛名バーコードデータと個別情報データから、図１の印刷物１に示した配置の画像データを生成する。そして生成した画像データを、デジタル印刷機ＰＴ２で読込可能なページ記述言語で書かれた印刷データに変換する。ページ記述言語としてはＥＳＣ／Ｐ（登録商標）、ポストスクリプト（登録商標）、ＰＣＬ（登録商標）等を用いる事ができるが、本実施例ではＥＳＣ／Ｐを用いる。
【００４１】
続いてＣＰＵ４１０は、デジタル印刷機ＰＴ２に印刷データを送信すると共に印刷実行指示を送信する（ステップＳ２３０）。印刷データを送信すると、ＣＰＵ４１０は、納品印刷処理は終了する。そして、デジタル印刷機ＰＴ２は印刷データを受信すると、その印刷データに基づいて印刷を実行し印刷物１（図１参照）を生成する。
【００４２】
次に、印刷用ＣＰが、印刷物１に対して顧客情報である住所、氏名等の宛名を印刷する宛名印刷処理について説明する。図７は印刷用ＣＰが行う宛名印刷処理の流れを示したフローチャートである。宛名印刷処理は、印刷発注者が印刷受注者から納品された印刷物１をプリンターＰＴ１の給紙トレー（図示省略）に載置し、カメラＣＭを印刷物１の宛名バーコード部分にかざし、カメラＣＭが宛名バーコードを認識することによって開始される。宛名印刷処理が開始されると、ＣＰＵ５１０は、カメラＣＭを用いて宛名バーコードを読み取る（ステップＳ３１０）。宛名バーコードを読み取ると、ＣＰＵ５１０は、予めＨＤＤ５２０に記憶している宛名バーコードを復号化するデコードキーを用いて、宛名バーコードを解析し、宛名バーコードを顧客情報である住所、氏名等のデータに変換する（ステップＳ３２０）。次に、ＣＰＵ５１０は、ＬＡＮを介してサーバーＳＶ（図２参照）にアクセスし、サーバーＳＶの顧客情報７１０に含まれる印刷要否情報を取得する（ステップＳ３３０）。そして、ＣＰＵ５１０が印刷要否判断部５１６として、取得した印刷要否情報に、その顧客が印刷物２の送付を中止する旨の情報が含まれているかを確認し、宛名の印刷を行うか判断する（ステップＳ３４０）。印刷要否情報に送付中止の情報が含まれている場合（ステップＳ３４０：ＮＯ）、印刷をせずに宛名印刷処理は終了する。
【００４３】
一方、印刷要否情報に送付中止の情報が含まれていない場合、ＣＰＵ５１０は復号化した顧客の住所、氏名等の顧客情報からプリンターＰＴ１で印刷するための印刷データを生成する（ステップＳ３５０）。印刷データを生成すると、ＣＰＵ５１０は、プリンターＰＴ１に印刷データを送信し（ステップＳ３６０）、宛名印刷処理は終了する。そして、印刷データを受信したプリンターＰＴ１は、受信した印刷データに基づいて顧客情報である住所、氏名を印刷物１に印刷し、印刷物２を生成する。そして、プリンターＰＴ１が生成した印刷物２を印刷発注者が顧客に送付し、印刷システム１０におけるバリアブル情報印刷は終了する。なお印刷要否判断部５１６が、特許請求の範囲に記載の除外部に相当する。
【００４４】
以上説明したように、印刷システム１０において、発注端末ＴＭ１は顧客情報を宛名バーコードに変換し、発注データとして印刷受注者に送信するので、印刷受注者は、印刷物１を印刷した際に、個別情報は視認できるが、顧客情報はバーコードとなっているので、顧客情報としての認識はできない。また、印刷受注者が、顧客と個別情報とを結びつけて認識することができないのは勿論である。従って、印刷発注者が保有する顧客の個人情報は、第三者である印刷受注者から保護される。さらに、印刷受注者から納品された印刷物１に宛名を印刷する際、印刷用ＣＰがサーバーＳＶから印刷要否情報を取得し、印刷の要否を判断する。そして、顧客が印刷物２の送付を中止している場合には、宛名を印刷しない。よって、その印刷物１は不要となるが、その不要となった印刷物１を廃棄する際に、印刷物１にはまだ顧客情報である宛名が印刷されておらず、第三者が認識可能な個人情報は含まれていない。従って、個人情報の保護を考慮しても、不要となった印刷物１の廃棄は容易である。加えて、印刷発注者が印刷するのは顧客の宛名だけであるので、印刷発注者は短時間で処理が可能であり、過度の負担とはならない。なお、特許請求の範囲に記載の個人情報は、個人を特定可能な情報であればよく、例えば、個人の住所および個人の氏名のいずれかを含む。これは第１実施例における顧客情報に相当する。また、特許請求の範囲に記載の個人に関連付けられた情報は、個人情報により特定可能な個人に関連する情報であり、第１実施例における個別情報に相当する。
【００４５】
Ｂ．変形例：
（Ｂ１）変形例１：
第１実施例では、発注端末ＴＭ１が受注端末ＴＭ２に送信する発注データに個別情報が含まれていたが、変形例１として、発注データに含まれる個別情報に代えて、個別情報の種類ごとに割り振られた個別情報コードを、発注データに組み込んで送信するとしてもよい。この場合、あらかじめ、サーバーＳＶが備える個別情報７２０のデータを受注端末ＴＭ２に送信し、受注端末ＴＭ２は、それをＨＤＤ４２０に保存しておく。そして、受注端末ＴＭ２が、発注端末ＴＭ１から、宛名バーコードと個別情報コードを含んだ発注者データを受信する。続いて、受注端末ＴＭ２のＣＰＵ４１０が、発注データに含まれる個別情報コードに基づいて、予めＨＤＤ４２０に保存した個別情報から、印刷物１に印刷する個別情報を選択して読み込む。その後、ＣＰＵ４１０は、読み込んだ個別情報と宛名バーコードから、デジタル印刷機ＰＴ２で印刷するための印刷データを生成する。このようにしても、印刷受注者は、印刷物１からは顧客情報を認識することができないので、第１実施例と同様に顧客の個人情報を保護することができる。
【００４６】
（Ｂ２）変形例２：
第１実施例では、顧客の住所、氏名等の情報を宛名バーコードに変換し発注データに組み込んだが、変形例２として、顧客各々にＩＤコードを割り振り、ＩＤコードをバーコードとして発注者データに組み込むとしてもよい。つまり、印刷物１には、ＩＤコードを示すバーコードが印刷されることになる。この場合、印刷発注者が、納品された印刷物１に宛名を印刷する際に、印刷用ＣＰのＣＰＵ５１０が、カメラＣＭを介して取得したバーコードを復号化しＩＤコードを読み込む。その後、ＣＰＵ５１０は、ＬＡＮを介してサーバーＳＶの顧客情報７１０にアクセスし、顧客情報７１０から、ＩＤコードに対応した顧客情報を取得し、その顧客情報に含まれる顧客の住所、氏名等を宛名として印刷物１に印刷する。このようにすると、上記実施例と比較して、さらに情報秘匿性のある印刷を行うことができる。
【００４７】
以上、本発明における実施例および変形例について説明したが、本発明はこれらの態様に限られるものではなく、本発明の要旨を変更しない範囲で、種々の態様で実施をすることができる。例えば、発注端末ＴＭ１において顧客情報を宛名バーコードに変換して発注データに組み込んだが、バーコードに代えて、ＱＲコードや数字等の第三者が認識できない態様とすれば上記実施例と同様の効果を得ることができる。その他、宛名バーコードを読み取るカメラＣＭに代えて、印刷用ＣＰにスキャナーを接続し、スキャナーを用いて宛名バーコードを読み取るとしてもよい。更に、第１実施例では、顧客情報をコード化したが、個別情報をコード化し、顧客情報はコード化せずにデジタル印刷機ＰＴ２で印刷するとしてもよい。例えば個別情報が、試験の合否や、納税額、年収等の情報である場合には、顧客情報は視認できる態様とし、個別情報がコード化され、第三者から視認されない方が好適である。
【符号の説明】
【００４８】
１０…印刷システム
３１０，４１０，５１０…ＣＰＵ
３１２…顧客情報管理部
３１４…バーコード処理部
３１６…発注データ生成部
３２０，４２０，５２０…ハードディスク
３３０，４３０，５３０…ＲＡＭ
３４０，４４０，５４０…ＲＯＭ
３５０，４５０，５５０…ＩＯ／ＩＦ
３６０，４６０，５６０…ＮＴ／ＩＦ
３８０，４８０，５８０…バス
４１２…発注データ処理部
４１４…印刷データ生成部
５１２…バーコード読取処理部
５１４…バーコード解析部
５１６…印刷要否判断部
５１８…印刷データ生成部
５７０…ＵＳＢ／ＩＦ
７１０…顧客情報
７２０…個別情報
ＣＭ…カメラ
ＣＰ…印刷用コンピューター
ＰＴ１…プリンター
ＰＴ２…デジタル印刷機
ＴＭ１…発注端末
ＴＭ２…受注端末
ＳＶ…サーバー
【図１】
2010282258.tif 000003
【図２】
2010282258.tif 000004
【図３】
2010282258.tif 000005
【図４】
2010282258.tif 000006
【図５】
2010282258.tif 000007
【図６】
2010282258.tif 000008
【図７】
2010282258.tif 000009